(57)【要約】【課題】連結状態において不意に外れることがない連結機構を提供する。【解決手段】雄部材２と雌部材３とを係脱可能に連結する連結機構１Ａにあって、雄部材２の挿入部４の上下両面に形成された係止溝５，５と、雌部材３の上下一対の弾性片部９，９からなる被挿入部８に形成された係合突起１０，１０とを係合したとき、挿入部４の幅方向の両側面４ａに対向するストッパー片部１１，１１を被挿入部８に設けた。これにより、挿入部４と被挿入部８相互の幅方向の移動が規制されて、雄部材２と雌部材３とが不意に外れることのない確実な連結状態が得られる。【選択図】図１
2010099291.tif 000002
【特許請求の範囲】
【請求項１】
雄部材と雌部材とを係脱可能に連結する連結機構であって、
一端側に略矩形板状の挿入部を備え、該挿入部の上下両面に、挿入方向に対して斜めに傾斜して次第に深さが深くなる傾斜面と、該傾斜面の奥端から垂直若しくは挿入方向と逆方向に立ち上がる係止面とを備えた係止溝が挿入部の幅方向に沿って夫々形成された雄部材と、
一端側に、被挿入方向に突設された上下一対の弾性片部からなる被挿入部を備え、上下で対向する両弾性片部の対向面に、前記係止溝に夫々係合可能な係合突起が形成され、かつ該係合突起の被挿入方向に対する後方で両弾性片部の幅方向の側縁に、前記係合突起が前記係止溝に係合された状態で、前記挿入部の幅方向の両側面に対向するストッパー片部が、前記挿入部の挿入方向への移動に伴って前記係止溝の側方位置に一致したときに、挿入部と被挿入部相互の幅方向の移動を可能とする形状で設けられた雌部材と
からなることを特徴とする連結機構。
【請求項２】
挿入部の挿入方向への移動により、該挿入部の端部が被挿入部の奥端に当接すると、ストッパー片部が、係止溝の側方位置に位置決められるようにしたことを特徴とする請求項１記載の連結機構。
【請求項３】
挿入部の挿入方向に対する係止溝の後方に、係合突起が係合可能な位置決め溝が設けられ、挿入部の挿入方向への移動により、該位置決め溝に係合突起が係合すると、ストッパー片部が、係止溝の側方位置に位置決められるようにしたことを特徴とする請求項１記載の連結機構。
【請求項４】
挿入部の端部に、挿入方向に至るに従って上下幅が次第に縮小する断面半円状又はテーパ状の易挿入端を備えていることを特徴とする請求項１乃至請求項３の何れか１項に記載の連結機構。
【発明の詳細な説明】
【技術分野】
【０００１】
本発明は、雄部材と雌部材とを係脱可能に連結する連結機構に関する。
【背景技術】
【０００２】
雄部材と雌部材とを係脱可能に連結する連結機構としては、社員証カードや携帯電話機を首に掛けて吊持するネックストラップの端部相互をループ状に連結するための連結部に適用されるもの（例えば、特許文献１参照）や、キャラクターアクセサリー本体とストラップとの連結部に適用されるもの（例えば、特許文献２参照）等が知られている。
【０００３】
これらの連結機構は、図７（Ａ）に示すように、一端に対向配置された一対の弾性挟持片部ｂ，ｂを備えた雌部材ａと、一端に棒状フック部ｄを備えた雄部材ｃとからなり、図７（Ｂ）に示すように、雌部材ａの両弾性挟持片部ｂ，ｂ間に雄部材ｃの棒状フック部ｄを嵌着させることにより、両者を着脱可能に連結し得るようになっている。
【特許文献１】実用新案登録第３１４１０２０号公報
【特許文献２】特開２００７−２８９５８９号公報（段落［００２７］、図５、図６）
【発明の開示】
【発明が解決しようとする課題】
【０００４】
ところで、この種の連結機構にあっては、その連結状態において、両弾性挟持片部ｂ，ｂ間に嵌着された棒状フック部ｄを、両弾性挟持片部ｂ，ｂの側方にスライドさせることによって連結を外すものであるが、棒状フック部ｄは常に側方へのスライドが自由であるため、連結解除を意図しない場合であっても棒状フック部ｄが側方へスライドして不意に外れてしまうという問題点があった。
【０００５】
本発明は、かかる従来の問題点を解消し得るようにしたものであり、連結解除を意図しない場合には不意に外れることがないようにした連結機構を提供することを目的とするものである。
【課題を解決するための手段】
【０００６】
本発明は、雄部材と雌部材とを係脱可能に連結する連結機構であって、一端側に略矩形板状の挿入部を備え、該挿入部の上下両面に、挿入方向に対して斜めに傾斜して次第に深さが深くなる傾斜面と、該傾斜面の奥端から垂直若しくは挿入方向と逆方向に立ち上がる係止面とを備えた係止溝が挿入部の幅方向に沿って夫々形成された雄部材と、一端側に、被挿入方向に突設された上下一対の弾性片部からなる被挿入部を備え、上下で対向する両弾性片部の対向面に、前記係止溝に夫々係合可能な係合突起が形成され、かつ該係合突起の被挿入方向に対する後方で両弾性片部の幅方向の側縁に、前記係合突起が前記係止溝に係合された状態で、前記挿入部の幅方向の両側面に対向するストッパー片部が、前記挿入部の挿入方向への移動に伴って前記係止溝の側方位置に一致したときに、挿入部と被挿入部相互の幅方向の移動を可能とする形状で設けられた雌部材とからなることを特徴とする連結機構である。
【０００７】
ここで、雄部材の材質としては、金属或いは硬質合成樹脂が好適に用いられ、雌部材の材質としては、適度の弾性を備えた硬質合成樹脂が好適に用いられ得る。
【０００８】
前記連結機構にあって、挿入部の挿入方向への移動により、該挿入部の端部が被挿入部の奥端に当接すると、ストッパー片部が、係止溝の側方位置に位置決められるようにした構成が提案される。
【０００９】
また、挿入部の挿入方向に対する係止溝の後方に、係合突起が係合可能な位置決め溝が設けられ、挿入部の挿入方向への移動により、該位置決め溝に係合突起が係合すると、ストッパー片部が、係止溝の側方位置に位置決められるようにした構成が提案される。
【００１０】
さらに、挿入部の端部に、挿入方向に至るに従って上下幅が次第に縮小する断面半円状又はテーパ状の易挿入端を備えている構成が提案される。
【発明の効果】
【００１１】
本発明にかかる連結機構によれば、雄部材と雌部材との連結に際して、雄部材の挿入部を雌部材の被挿入部に挿入すると、被挿入部を構成する上下一対の弾性片部が、挿入部の挿入に伴って上下方向に押し広げられて弾発力を生じ、この状態で、該弾性片部の対向面に形成されている係合突起の位置まで挿入部の係止溝が挿入されると、該係止溝内に係合突起が弾性片部の弾発力を介して落ち込むことにより係止溝と係合突起とが係合される。この時、被挿入部を構成する両弾性片部の幅方向の側縁に設けられたストッパー片部が、挿入部の幅方向の両側面に対向する状態となるため、該両側面とストッパー片部との当接によって、挿入部と被挿入部相互の幅方向の移動が規制されて、雄部材と雌部材とが不意に外れることのない確実な連結状態が得られる。
【００１２】
また、このような連結状態において、雄部材の挿入部を挿入方向にさらに押し込むと、弾性片部の係合突起が係止溝の傾斜面を斜め上方に向けて摺動して係止溝から抜け出すことにより、係止溝と係合突起との係合が解除される。また、この挿入部の挿入方向への移動に伴って、ストッパー片部が係止溝の側方位置に一致する状態となると、ストッパー片部が係止溝内を幅方向に移動可能となるため、この状態で、挿入部と被挿入部相互を幅方向に沿って相反方向に相対移動させることにより、雄部材と雌部材とを分離させることができる。
【００１３】
この連結機構にあって、挿入部の挿入方向への移動により、該挿入部の端部が被挿入部の奥端に当接すると、ストッパー片部が、係止溝の側方位置に位置決められるようにした構成にあっては、挿入部の端部と被挿入部の奥端との当接によって、係止溝の側方位置にストッパー片部を位置決めすることができるため、この位置決め状態において、雄部材と雌部材との分離時に、挿入部と被挿入部の幅方向の相対移動操作を容易に行うことができる。
【００１４】
また、挿入部の挿入方向に対する係止溝の後方に、係合突起が係合可能な位置決め溝が設けられ、挿入部の挿入方向への移動により、該位置決め溝に係合突起が係合すると、ストッパー片部が、係止溝の側方位置に位置決められるようにした構成にあっては、位置決め溝と係合突起との係合によって、係止溝の側方位置にストッパー片部を位置決めすることができるため、この構成にあっても、その位置決め状態において、雄部材と雌部材との分離時に、挿入部と被挿入部の幅方向の相対移動操作を容易に行うことができる。
【００１５】
さらに、挿入部の端部に、挿入方向に至るに従って上下幅が次第に縮小する断面半円状又はテーパ状の易挿入端を備えている構成にあっては、該易挿入端が先細り状であるため、雌部材の被挿入部に対する挿入部の挿入を容易に行うことができる。
【発明を実施するための最良の形態】
【００１６】
以下に、本発明にかかる連結機構の第一実施例を、図１〜図３に基づいて説明する。
この第一実施例の連結機構１Ａは、図１に示すように、ネックストラップ等のベルト７の端部相互を係脱可能に連結し得るように構成された雄部材２と雌部材３とからなる。
【００１７】
前記雄部材２は、一端側に略矩形板状の挿入部４を備えており、該挿入部４の上下両面には、図２（Ａ）に示すように、挿入方向Ｆに対して斜めに傾斜して次第に深さが深くなる傾斜面５ａと、該傾斜面５ａの奥端から垂直に立ち上がる係止面５ｂとを備えた係止溝５，５が挿入部４の幅方向に沿って夫々形成されている。尚、係止溝５，５の係止面５ｂは、傾斜面５ａの奥端から挿入方向と逆方向に向けて斜め立ち上がるように設けることも可能である。また、雄部材２の他端側には、平帯状のベルト７を挿通可能な挿通孔６が形成されており、該挿通孔６に挿通されたベルト７の端部７ａがループ状に止着されている。この雄部材２の材質には、アルミニウム，鉄，銀，チタン及びそれらの合金からなる金属や、硬質合成樹脂が好適に用いられ得る。
【００１８】
一方、前記雌部材３は、一端側に、被挿入方向に突設された上下一対の弾性片部９，９からなる被挿入部８を備えており、上下で対向する両弾性片部９，９の対向面には、前記係止溝５，５に夫々係合可能な係合突起１０，１０が配設されている。ここで、該係合突起１０，１０は、係止溝５，５の形状と略同一形状に形成されており、両弾性片部９，９の対向面の先端に、その横幅方向に沿って設けられている。また、両弾性片部９，９の相互間隔は、前記挿入部４の厚みと略同じになるように設定されており、両弾性片部９，９の横幅は、挿入部４の横幅より若干広幅となるように設定されている（図３参照）。また、雌部材３の他端側には、平帯状のベルト７を挿通可能な挿通孔１９が形成されており、該挿通孔１９に挿通されたベルト７の端部７ｂがループ状に止着されている。この雌部材３の材質には、ポリアセタール，ポリエチレン，ポリ塩化ビニル，ポリプロピレン，ポリアミド等の適度の弾性を備えた硬質合成樹脂が好適に用いられ得る。
【００１９】
前記係合突起１０，１０の被挿入方向に対する後方で、両弾性片部９，９の幅方向の両側縁には、上下で対向するストッパー片部１１，１１が夫々配設されている。該ストッパー片部１１，１１は、前記係合突起１０，１０が前記係止溝５，５に係合された状態（図２（Ｃ）参照）で、図３（Ｂ）に示すように、前記挿入部４の幅方向の両側面４ａ，４ａに対向するように設けられており、該ストッパー片部１１，１１と挿入部４の両側面４ａ，４ａとの当接によって、挿入部４と被挿入部８相互の幅方向の移動が規制されるようになっている。また、ストッパー片部１１，１１は、図２（Ｄ）に示すように、前記挿入部４の挿入方向への移動に伴って前記係止溝５，５の側方位置に一致したときに、挿入部４と被挿入部８相互の幅方向の移動を可能とする形状に形成されている。ここで、該ストッパー片部１１，１１の形状としては、係止溝５，５内を側方に移動可能であれば、図示したような三角形状以外に帯板状や半楕円状としてもよい。
【００２０】
また、ストッパー片部１１，１１の配設位置から被挿入部８の奥端１２までの距離は、挿入部４の係止溝５，５から挿入部４の端部までの距離に一致するように設定されており、これによって、挿入部４の挿入方向への移動により、図２（Ｄ）に示すように、該挿入部４の端部（易挿入端１３）が被挿入部８の奥端１２に当接すると、ストッパー片部１１，１１が、係止溝５，５の側方位置に位置決められるようになっている。
【００２１】
また、挿入部４の端部には、挿入方向に至るに従って上下幅が次第に縮小する断面半円形状の易挿入端１３が形成されており、該易挿入端１３によって被挿入部８に対する挿入部４の挿入を容易に行い得るようになっている。尚、該易挿入端１３は断面半円形状以外に、テーパ状としてもよい。
【００２２】
かかる構成にあって、雄部材２と雌部材３とを連結するには、図２（Ａ）に示すように、雄部材２の挿入部４と雌部材３の被挿入部８を対峙させた状態で、挿入部４を挿入方向Ｆに沿って被挿入部８に挿入することにより、被挿入部８を構成する上下一対の弾性片部９，９が、図２（Ｂ）に示すように、挿入部４の挿入に伴って上下方向に押し広げられて弾発力を生じ、この状態で、該弾性片部９，９の対向面に形成されている係合突起１０，１０の位置まで挿入部４の係止溝５，５が挿入されると、図２（Ｃ）に示すように、該係止溝５，５内に係合突起１０，１０が弾性片部９，９の弾発力を介して落ち込むことにより係止溝５，５と係合突起１０，１０とが係合される。この時、被挿入部８を構成する両弾性片部９，９の幅方向の側縁に設けられたストッパー片部１１，１１が、挿入部４の幅方向の両側面４ａ，４ａに対向する状態となるため、該両側面４ａ，４ａとストッパー片部１１，１１との当接によって、挿入部４と被挿入部８相互の幅方向の移動が規制されて、雄部材２と雌部材３とが不意に外れることのない確実な連結状態が得られる。
【００２３】
一方、このような連結状態を解除するには、図２（Ｃ）に示す連結状態において、雄部材２の挿入部４を挿入方向にさらに押し込むと、弾性片部９，９の係合突起１０，１０が係止溝５，５の傾斜面５ａ，５ａを斜め上方に向けて摺動して係止溝５，５から抜け出すことにより、図２（Ｄ）に示すように、係止溝５，５と係合突起１０，１０との係合が解除される。また、この挿入部４の挿入方向への移動に伴って、ストッパー片部１１，１１が係止溝５，５の側方位置に一致する状態となると、ストッパー片部１１，１１が係止溝５，５内を幅方向に移動可能となるため、この状態で、挿入部４と被挿入部８相互を幅方向に沿って相反方向に相対移動させることにより、雄部材２と雌部材３とを分離させることができる。
【００２４】
また、この第一実施例では、挿入部４の挿入方向への移動により、図２（Ｄ）に示すように、該挿入部４の端部（易挿入端１３）が被挿入部８の奥端１２に当接すると、ストッパー片部１１，１１が、係止溝５，５の側方位置に位置決められるようにした位置決め手段を備えていることにより、雄部材２と雌部材３との分離時に、挿入部４と被挿入部８の幅方向の相対移動操作を容易に行うことができる。
【００２５】
図４，図５は第二実施例を示し、この第二実施例の連結機構１Ｂは、他の構成からなるストッパー片部１１，１１の位置決め手段を備えている。即ち、雄部材２の挿入部４には、該挿入部４の挿入方向Ｆ（図５（Ａ）参照）に対する係止溝５，５の後方で、雌部材３の係合突起１０，１０とストッパー片部１１，１１との間隔に一致する位置に、係合突起１０，１０が係合可能な位置決め溝１４，１４が設けられている。そして、挿入部４の挿入方向への移動により、該位置決め溝１４，１４に係合突起１０，１０が係合すると、ストッパー片部１１，１１が、係止溝５，５の側方位置に位置決められるようになっている。その他、第一実施例と共通する構成部分については、第一実施例と同一の符号を付して重複説明を省略する。
【００２６】
かかる構成にあって、図５（Ｂ）に示す連結状態を解除する場合に、雄部材２の挿入部４を挿入方向にさらに押し込むと、弾性片部９，９の係合突起１０，１０が係止溝５，５の傾斜面５ａ，５ａを斜め上方に向けて摺動して係止溝５，５から抜け出すことにより、係止溝５，５と係合突起１０，１０との係合が解除されるとともに、この挿入部４の挿入方向への移動に伴って係合突起１０，１０が位置決め溝１４，１４に係合され、図５（Ｃ）に示すように、係止溝５，５の側方位置にストッパー片部１１，１１が位置決めされる。これにより、雄部材２と雌部材３との分離時に、挿入部４と被挿入部８の幅方向の相対移動操作を容易に行うことができる。
【００２７】
尚、上述した第一実施例及び第二実施例では、ベルト７の端部相互を係脱可能に連結し得るように構成された雄部材２と雌部材３とからなる連結機構１Ａ，１Ｂについて説明したが、本発明にかかる連結機構は、雄部材２と雌部材３の他端側の形状を適宜変更することにより、種々の用途に用いることが可能である。図６はその変更態様の一例を示し、雄部材２の他端側に、社員証カード等のカード体１６を支持する支持板部１５を形成する一方、雌部材３の他端側には、ストラップ１８を挿通させる挿通孔１７を幅方向に形成したものである。ここで、カード体１６は、接着剤や両面テープにより支持板部１５に貼着され、ストラップ１８は両端をループ状に連結して首に掛けることにより、カード体１６を吊持することができる。
【図面の簡単な説明】
【００２８】
【図１】第一実施例にかかる連結機構１Ａの分離状態（Ａ）と連結状態（Ｂ）を示す斜視図である。
【図２】同上の連結機構１Ａの分離状態（Ａ）、連結操作状態（Ｂ）、連結完了状態（Ｃ）及び連結解除操作状態（Ｄ）を示す側面図である。
【図３】連結機構１Ａの分離状態（Ａ）と連結状態（Ｂ）を示す平面図である。
【図４】第二実施例にかかる連結機構１Ｂの分離状態（Ａ）と連結状態（Ｂ）を示す斜視図である。
【図５】同上の連結機構１Ｂの分離状態（Ａ）、連結状態（Ｂ）及び連結解除操作状態（Ｃ）を示す側面図である。
【図６】雄部材２と雌部材３の他端側の形状の変更態様を示す斜視図である。
【図７】従来の連結機構の分離状態（Ａ）と連結状態（Ｂ）を示す斜視図である。
【符号の説明】
【００２９】
１Ａ，１Ｂ  連結機構
２  雄部材
３  雌部材
４  挿入部
４ａ  両側面
５  係止溝
５ａ  傾斜面
５ｂ  係止面
８  被挿入部
９  弾性片部
１０  係合突起
１１  ストッパー片部
１２  奥端
１３  易挿入端
１４  位置決め溝
【図１】
2010099291.tif 000003
【図２】
2010099291.tif 000004
【図３】
2010099291.tif 000005
【図４】
2010099291.tif 000006
【図５】
2010099291.tif 000007
【図６】
2010099291.tif 000008
【図７】
2010099291.tif 000009